(57)【要約】【課題】外箱を破らなくても内部の製品を容易に取り出せ、包装の手間の軽減化を図る。【解決手段】外箱３内に納まる内装部材５を有する。内装部材５は、カートリッジ束２の上下および前後を覆う内装本体１０と、内装本体１０とは別部材であってカートリッジ束２の左右を覆う左右一対の緩衝板１１・１１とを含む。内装本体１０は、展開状態において長方形状に形成されていて、カートリッジ束２が載置される底壁１２と、底壁１２の前後端にそれぞれ折り曲げ自在に連設された前後一対の内壁１３・１５と、一方の内壁１５に折り曲げ自在に連設された蓋壁１６とを備えている。緩衝板１１・１１は、カートリッジ束２と、外箱３の箱本体６の左右内面との間に縦姿勢でそれぞれ配する。【選択図】図１
2007030887.tif 000002
【特許請求の範囲】
【請求項１】
上面が開口する四角形状の外箱と、この外箱内に収容される内装部材とを有しており、
前記内装部材は、四角形状の製品の上下および前後を覆う内装本体と、この内装本体とは独立して形成されて前記製品の左右を覆う左右一対の緩衝板とを含み、
内装本体は、展開状態で長方形状に形成されていて、前記製品が載置される底壁と、この底壁の前後端にそれぞれ折り曲げ自在に連設された前後一対の内壁と、一方の内壁に折り曲げ自在に連設された蓋壁とを備えており、
前記緩衝板が、前記製品と、前記外箱の箱本体の左右内面との間に立直状態でそれぞれ配されることを特徴とする包装容器。
【請求項２】
前記緩衝板の上下高さ寸法は、前記外箱内に配した状態で前記内装本体の前後の内壁の上端部位よりも高くなるよう設定してある請求項１記載の包装容器。
【請求項３】
内装部材が、ハニカム構造の段ボールである請求項１または２記載の包装容器。
【発明の詳細な説明】
【技術分野】
【０００１】
本発明は、データカートリッジやＣＤカートリッジなどの製品輸送に適した包装容器に関する。
【背景技術】
【０００２】
特許文献１・２の包装容器には、上面が開口する段ボール製の外箱と、この外箱内に収容される段ボール製の内装部材とを有し、製品を外箱と内装部材とで二重に覆って、落下衝撃などから製品を保護することが開示されている。
【０００３】
【特許文献１】実開昭５８−１２５１６９号公報（第１図）
【特許文献２】特開２００４−３１９３８７号公報（図１）
【発明の開示】
【発明が解決しようとする課題】
【０００４】
落下衝撃などに対する緩衝性を高めるために、特許文献１の内装部材では、段ボールを外側に折り曲げて内外に重ねている。特許文献２の内装部材では、段ボールを折り曲げ形成した四角筒状のスペーサが連設されている。かかる特許文献１・２では、内装部材の組み立て作業に手間が掛かってしまい、包装容器のコストアップを招いてしまう。
【０００５】
これに対して、緩衝性が高いハニカム構造の段ボールで内装部材を形成すると、内装部材の組み立て作業の容易化が図れる。この内装部材では、図６に示すごとく底壁２１の前後端および左右端に、前後壁２２・２３および左右壁２５・２６をそれぞれ連設し、後壁２３の後端に蓋壁２７を連設しておく。かかる形態の内装部材によれば、底壁２１に対して前後壁２２・２３および左右壁２５・２６をそれぞれ直角に起立するよう谷折りし、後壁２３に対して蓋壁２７を谷折りするだけで組み立てできる。
【０００６】
この種の包装容器にあっては、輸送時に製品が包装容器内で振動することを抑えるために、製品と内装部材との間および内装部材と外箱との間に隙間がほとんど生じないよう設定される。このため、先のハニカム構造の内装部材を備えた包装容器にあっては、包装容器から製品が非常に取り出し難い。
【０００７】
この対策として、特許文献１では、第１図に示すごとく、テープの上に製品に積み重ねた状態で包装容器に収容し、テープの端を引っ張り上げることで製品を取り出すことが考えられる。この場合、テープの分だけ部品点数が増えて、包装に要するコストが上昇するところに問題がある。外箱を破って製品を取り出すことも考えられるが、これでは包装容器を再利用できない。
【０００８】
内装部材は、大面積の段ボール原反から切り取って形成されるが、図６の内装部材では、切り取られて無駄に捨てられる段ボール部分が多くなって、歩留まりが悪く包装コストが高く付く。
【０００９】
本発明の目的は、外箱を破らなくても内部の製品を容易に取り出すことができるし、包装コストを抑えることができる包装容器を提供するにある。
【課題を解決するための手段】
【００１０】
本発明は、図１に示すごとく、上面が開口する四角形状の外箱３と、外箱３内に収容される内装部材５とを有する。内装部材５は、四角形状の製品２の上下および前後を覆う内装本体１０と、内装本体１０とは独立して形成されて製品２の左右を覆う左右一対の緩衝板１１・１１とを含む。内装本体１０は、図２に示すごとく、展開状態で長方形状に形成されていて、製品２が載置される底壁１２と、底壁１２の前後端にそれぞれ折り曲げ自在に連設された前後一対の内壁１３・１５と、一方の内壁１５に折り曲げ自在に連設された蓋壁１６とを備えている。緩衝板１１・１１は、図５に示すごとく、製品２と、外箱３の箱本体６の左右内面との間に立直状態でそれぞれ配される。ここでは、内装本体１０は、展開状態でほぼ長方形に形成されていればよい。
【００１１】
具体的には、緩衝板１１・１１の上下高さ寸法は、外箱３内に配した状態で内装本体１０の前後の内壁１３・１５の上端部位よりも高くなるよう設定してある。
【００１２】
内装部材５は、図２に示すごとくハニカム構造の段ボールであることが好ましい。
【発明の効果】
【００１３】
本発明によれば、製品２が外箱３と内装部材５とで二重保護されるので、輸送などの際に製品２が破損することなどを低減することができる。
【００１４】
緩衝板１１・１１は、これの上部を掴んで外箱３から引き抜くと、製品２と外箱３の内面との間に隙間が生じるので、この隙間を利用して製品２を包装容器から簡単に引き出せる。したがって、外箱３を破いたりしなくても製品２を包装容器から容易に取り出せ、開梱の際の作業性が向上するうえに包装容器の再利用が可能になる。
【００１５】
展開状態において内装部材５の内装本体１０は長方形状であるので、材料となる大面積の段ボール原反から効率的に内装本体１０を切り取ることができ、その分だけ歩留まりが良く、包装コストを抑えることができる。
【００１６】
緩衝板１１・１１の上下高さ寸法が、外箱３内に配した状態で内装本体５の前後の内壁１３・１５の上端部位よりも高く設定されていると、緩衝板１１・１１の上端部位を掴んで外箱３から引き抜くに便利である。その際に、緩衝板１１・１１は、外箱３の開口を閉じるのに邪魔にならない高さに寸法設定すればよい。
【００１７】
内装部材５が、ハニカム構造の段ボールであると、量産性に適い、輸送時の製品２の破損をより確実に低減化できる。
【発明を実施するための最良の形態】
【００１８】
図面は、本発明が対象とする包装容器の実施例を示しており、図１に示す四角形状のカートリッジ束（製品）２が３個ずつ左右に並べた状態で収容する場合を示す。カートリッジ束２は、図３に示すごとく、データカートリッジ１を１０個ずつ前後に重ねて帯体Ｔで固定したのちに、熱収縮性フィルムＦでシュリンク包装したものである。
【００１９】
包装容器は、図１に示すごとく、上面が開口する四角形状の外箱３と、この外箱３内に収容される内装部材５とを有する。外箱３は、厚さ寸法が約８mmのＡＢフルートの段ボールで形成してあり、上面が開口する左右横長の四角形状の箱本体６と、箱本体６の開口上端の左右に連設した左右一対の内フラップ７・７と、箱本体６の開口上端の前後に連設した前後一対の外フラップ９・９とを含む。内フラップ７・７と外フラップ９・９とによって箱本体６の開口上端が閉じられる。
【００２０】
内装部材５は、厚さ寸法が約１５mmのハニカム構造の段ボールで形成されており、前述した３列のカートリッジ束２の上下および前後を覆う内装本体１０と、この内装本体１０とは独立した別部材で形成されてカートリッジ束２の左右を覆う左右一対の緩衝板１１・１１とを含む。内装部材５を形成するハニカム構造の段ボールは、図２に示すごとく多数の六角筒状のセルＣを有するものである。
【００２１】
図２の展開状態において内装本体１０は、前後方向に長い扁平な長方形状になっており、前記カートリッジ束２が載置される底壁１２と、この底壁１２の前後端においてそれぞれ折線Ｌ１・Ｌ２を介して折り曲げ自在に連設された前後一対の内壁１３・１５と、後ろ側内壁１５の後端に折線Ｌ３を介して折り曲げ自在に連設された蓋壁１６とを備えている。
【００２２】
緩衝板１１・１１は、それぞれ前後方向に長い扁平な長方形状に形成されており、図４および図５に示すごとく、３列のカートリッジ束２と、外箱３の箱本体６の左右内面との間に立直状態（縦姿勢）でそれぞれ配される。各緩衝板１１の上下高さ寸法は、外箱３内に配した状態で内装本体１０の前後の内壁１３・１５の上端部位よりも高くなるよう設定してある。
【００２３】
梱包に際しては、内装本体１０の底壁１２に対して前後の内壁１３・１５をそれぞれ折線Ｌ１・Ｌ２を介して直角に内折りする。この後、内装本体１０を外箱３内に収容し、内装本体１０の底壁１２上にカートリッジ束２を左右に並べて載置し、外箱３内に緩衝板１１・１１をそれぞれ配する。次いで、内装本体１０の後ろ側内壁１５に対して蓋壁１６を折線Ｌ３を介して直角に内折りし、外箱３の内フラップ７・７と外フラップ９・９とを箱本体６に対して直角に内折りして、箱本体６の開口上端を閉じる。
【００２４】
これにより、カートリッジ束２は外箱３と内装部材５とで二重保護される。この包装状態で、図４および図５に示すごとく、カートリッジ束２は内装部材５に密着し、内装部材５は外箱３の内面に密着しており、輸送時にカートリッジ束２が包装容器内で振動することが低減される。
【００２５】
開梱に際しては、外箱３の内フラップ７・７と外フラップ９・９とを開いて、内装本体１０の蓋壁１６を起立させたのち、左右の緩衝板１１・１１を、それぞれ上方に引っ張って外箱３から引き抜く。これにより、カートリッジ束２と外箱３の左右の内面との間に隙間が生じるので、この隙間に指などを差し入れてカートリッジ束２を包装容器から引き出すことができる。
【００２６】
隣り合うカートリッジ束２・２の間にも緩衝板１１を配することができる。外箱３や内装部材５は、合成樹脂製の段ボールであってもよい。
【図面の簡単な説明】
【００２７】
【図１】本発明の包装容器の分解斜視図
【図２】本発明にかかる内装部材の展開図
【図３】カートリッジ束の分解斜視図
【図４】包装容器の横断平面図
【図５】図４のＡ−Ａ線断面図
【図６】課題を説明するための内装部材の展開図
【符号の説明】
【００２８】
１  データカートリッジ
２  カートリッジ束
３  外箱
５  内装部材
１０  内装本体
１１  緩衝板
１２  底壁
１３  前側内壁
１５  後ろ側内壁
１６  蓋壁
【図１】
2007030887.tif 000003
【図２】
2007030887.tif 000004
【図３】
2007030887.tif 000005
【図４】
2007030887.tif 000006
【図５】
2007030887.tif 000007
【図６】
2007030887.tif 000008